(57)【要約】【課題】  大型の整流素子やその冷却用部品が不要となり、小型化かつ低コスト化できる無停電電源システムを得る。【解決手段】  スイッチング素子をオン・オフ制御するコンバータ制御回路を有する、交流入力１を直流電力に変換するコンバータ９Ａ，９Ｂと、上記コンバータの出力する直流電力を交流電力に変換するインバータ１０Ａ，１０Ｂとを複数備え、複数の上記コンバータの入力と出力とがそれぞれ共通の交流入力１と蓄電池４に接続される複数の無停電電源装置２１Ａ，２１Ｂを有する無停電電源システムにおいて、上記コンバータ９Ａ，９Ｂの直流出力端の正極および負極にそれぞれ電流センサ６０１Ａ，６０２Ａ，６０１Ｂ，６０２Ｂを設け、上記電流センサの出力信号の極性により、上記コンバータ９Ａ，９Ｂのスイッチング素子をオフさせて、複数の上記無停電電源装置間を循環する循環電流を阻止する。【選択図】図１
2005354764.tif 000002
【特許請求の範囲】
【請求項１】
スイッチング素子をオン・オフ制御するコンバータ制御回路を有する、交流入力を直流電力に変換するコンバータと、上記コンバータの出力する直流電力を交流電力に変換するインバータとを複数備え、複数の上記コンバータの入力と出力とがそれぞれ共通の交流入力と蓄電池に接続される複数の無停電電源装置を有する無停電電源システムにおいて、
上記コンバータの直流出力端の正極および負極にそれぞれ電流センサを設け、上記電流センサの出力信号の極性により、上記コンバータのスイッチング素子をオフさせて、複数の上記無停電電源装置間を循環する循環電流を阻止するようにしたことを特徴とする無停電電源システム。
【請求項２】
スイッチング素子をオン・オフ制御するコンバータ制御回路を有する、交流入力を直流電力に変換するコンバータと、上記コンバータの出力する直流電力を交流電力に変換するインバータとを複数備え、複数の上記コンバータの入力と出力とがそれぞれ共通の交流入力と蓄電池に接続される複数の無停電電源装置を有する無停電電源システムにおいて、
上記コンバータの直流出力端の正極および負極にそれぞれ電流センサを設け、上記電流センサの出力信号の和より、複数の上記無停電電源装置間を循環する循環電流を求め、上記循環電流の極性により、上記コンバータのスイッチング素子をオフさせて循環電流を阻止するようにしたことを特徴とする無停電電源システム。
【請求項３】
スイッチング素子をオン・オフ制御するコンバータ制御回路を有する、交流入力を直流電力に変換するコンバータと、上記コンバータの出力する直流電力を交流電力に変換するインバータとを複数備え、複数の上記コンバータの入力と出力とがそれぞれ共通の交流入力と蓄電池に接続される複数の無停電電源装置を有する無停電電源システムにおいて、
上記コンバータの直流出力端の正極および負極にそれぞれ電流センサを設け、上記電流センサの出力信号の和より、複数の上記無停電電源装置間を循環する循環電流を求め、上記循環電流が減少するように、上記コンバータのスイッチング素子をオン・オフ制御させるようにしたことを特徴とする無停電電源システム。
【請求項４】
スイッチング素子をオン・オフ制御するコンバータ制御回路を有する、交流入力を直流電力に変換するコンバータと、上記コンバータの出力する直流電力を交流電力に変換するインバータとを複数備え、複数の上記コンバータの入力と出力とがそれぞれ共通の交流入力と蓄電池に接続される複数の無停電電源装置を有する無停電電源システムにおいて、
上記コンバータの交流入力部のすべての相に電流センサを設け、上記電流センサの出力信号の和より、複数の上記無停電電源装置間を循環する循環電流を求め、上記循環電流が減少するように、上記コンバータのスイッチング素子をオン・オフ制御させるようにしたことを特徴とする無停電電源システム。
【発明の詳細な説明】
【技術分野】
【０００１】
この発明は、無停電電源システムに関し、特に複数の無停電電源装置を並列運転し、交流電源と蓄電器を共用するときの循環電流を防止するものに係わる。
【背景技術】
【０００２】
図７は無停電電源装置２台を並列接続し、交流電源と蓄電池を共用する従来の無停電電源システムの回路図で、例えば特許文献１に示される。２台の無停電電源装置２Ａ，２Ｂは交流電源１と並列に接続され、蓄電池４に接続され、蓄電池４は無停電電源装置２Ａ，２Ｂによりそれぞれ充電される。無停電電源装置２Ａの構成要素は、ＰＷＭ（pulse width modulation）コンバータ９Ａ、インバータ１０Ａ、整流素子１１Ａ，１２Ａである。ＰＷＭコンバータ９Ａの構成要素は、交流リアクトル５１Ａ，５２Ａ、直流出力端の正，負極間に接続された高周波リップル電流吸収用の平滑コンデンサ８Ａ、トランジスタ９１１Ａ〜９１４Ａ、ダイオード９２１Ａ〜９２４Ａである。また、無停電電源装置２Ｂも無停電電源装置２Ａと同一構成であり、同一部分には、同一数字に符号Ａに代わって符号Ｂを付記している。
【０００３】
ＰＷＭコンバータ９Ａ，９Ｂは、従来のダイオード整流器よりも交流入力電流の高調波を抑制し入力力率を改善する制御回路をもつ周知のＰＷＭコンバータで、パルス幅変調制御方式コンバータある。
【０００４】
次に動作について説明する。図７において、入力受電時、コンバータ９Ａ，９Ｂは常時直流電力を整流素子１１Ａ、１２Ａ，１１Ｂ，１２Ｂを介してインバータ１０Ａ，１０Ｂへ供給すると共に、蓄電池４を浮動充電している。インバータ１０Ａ，１０Ｂはこの直流電力を交流電力に変換して負荷へ交流電力を供給する。入力停電時は、蓄電池４より直流電力をインバータ１０Ａ，１０Ｂへ供給することにより無停電電源装置の機能を保っている。
【０００５】
次にトランジスタ９１１Ａ〜９１４Ａと、対応するトランジスタ９１１Ｂ〜９１４Ｂのオン・オフを駆動するパルス発生の時間差により発生する循環電流のうち、蓄電池４を電源とする循環電流の流れは、例えば、トランジスタ９１１Ａオン、トランジスタ９１２Ａオフ、トランジスタ９１１Ｂオフ、トランジスタ９１２Ｂオンの状態では、蓄電池４−トランジスタ９１１Ａ−交流リアクトル５１Ａ−交流リアクトル５１Ｂ−トランジスタ９１２Ｂ−蓄電池４の経路となる。この循環電流は整流素子１１Ａまたは１２Ｂで阻止される。
【０００６】
また、トランジスタ９１１Ａオン、トランジスタ９１２Ａオフ、トランジスタ９１１Ｂオン、トランジスタ９１２Ｂオフの状態では、交流リアクトル５１Ａ，５１Ｂに貯蔵されたエネルギーを電源として、トランジスタ９１１Ａ−交流リアクトル５１Ａ−交流リアクトル５１Ｂ−ダイオード９２１Ｂ−トランジスタ９１１Ａの経路となる。この循環電流は整流素子１１Ａで阻止される。
これらの循環電流を阻止することで、交流リアクトルの偏磁や、トランジスタおよびダイオードの損失増大を防止することができる。
【０００７】
【特許文献１】特開平５−３０８７７７号公報
【発明の開示】
【発明が解決しようとする課題】
【０００８】
従来の交流電源と蓄電池を共用して並列運転する無停電電源システムは、以上のように構成されているので、循環電流を阻止するための整流素子には、インバータに供給する大きな電流を流すことができる大型の素子が必要であり、またこの素子の冷却用部品も必要となるため装置が大型、高コストとなっていた。
この発明は上記のような課題を解決するためになされたものであり、循環電流を阻止できる低コストな無停電電源システムを得ることを目的とする。
【課題を解決するための手段】
【０００９】
この発明に係わる無停電電源システムは、スイッチング素子をオン・オフ制御するコンバータ制御回路を有する、交流入力を直流電力に変換するコンバータと、上記コンバータの出力する直流電力を交流電力に変換するインバータとを複数備え、複数の上記コンバータの入力と出力とがそれぞれ共通の交流入力と蓄電池に接続される複数の無停電電源装置を有する無停電電源システムにおいて、上記コンバータの直流出力端の正極および負極にそれぞれ電流センサを設け、上記電流センサの出力信号の極性により、上記コンバータのスイッチング素子をオフさせて、複数の上記無停電電源装置間を循環する循環電流を阻止するようにしたものである。
【００１０】
また、コンバータの直流出力端の正極および負極にそれぞれ電流センサを設け、上記電流センサの出力信号の和より、複数の無停電電源装置間を循環する循環電流を求め、上記循環電流の極性により、上記コンバータのスイッチング素子をオフさせて循環電流を阻止するようにしたものである。
【００１１】
また、コンバータの直流出力端の正極および負極にそれぞれ電流センサを設け、上記電流センサの出力信号の和より、複数の無停電電源装置間を循環する循環電流を求め、上記循環電流が減少するように、上記コンバータのスイッチング素子をオン・オフ制御させるようにしたものである。
【００１２】
さらに、コンバータの交流入力部のすべての相に電流センサを設け、上記電流センサの出力信号の和より、複数の無停電電源装置間を循環する循環電流を求め、上記循環電流が減少するように、上記コンバータのスイッチング素子をオン・オフ制御させるようにしたものである。
【発明の効果】
【００１３】
この発明の無停電電源システムによれば、循環電流を検出してその循環電流を阻止するようにコンバータのスイッチング素子へオン・オフ指令を出力するように構成したので、大型の整流素子やその冷却用部品が不要となり、無停電電源システムを小型化かつ低コスト化できる。
【００１４】
また、コンバータの直流出力端の正極および負極にそれぞれ電流センサを設け、上記電流センサの出力信号の和より、複数の無停電電源装置間を循環する循環電流を求め、上記循環電流の極性により、上記コンバータのスイッチング素子をオフさせて循環電流を阻止するようにしたので、大型の整流素子やその冷却用部品が不要で、無停電電源システムを小型化で低コスト化でき、かつ循環電流を阻止しながら、負荷が回生しても運転を継続することができる。
【００１５】
また、コンバータの直流出力端の正極および負極にそれぞれ電流センサを設け、上記電流センサの出力信号の和より、複数の無停電電源装置間を循環する循環電流を求め、上記循環電流が減少するように、上記コンバータのスイッチング素子をオン・オフ制御させるようにしたので、大型の整流素子やその冷却用部品が不要で、無停電電源システムを小型化で低コスト化でき、かつ循環電流を阻止しながら、負荷が回生しても運転を継続することができる。
【００１６】
さらに、コンバータの交流入力部のすべての相に電流センサを設け、上記電流センサの出力信号の和より、複数の無停電電源装置間を循環する循環電流を求め、上記循環電流が減少するように、上記コンバータのスイッチング素子をオン・オフ制御させるようにしたので、大型の整流素子やその冷却用部品が不要で、無停電電源システムを小型化で低コスト化でき、かつ循環電流を阻止しながら、負荷が回生しても運転を継続することができる。
【発明を実施するための最良の形態】
【００１７】
実施の形態１．
図１はこの発明の実施の形態１の無停電電源システムを示す回路図である。図中、図７と同一符号は同一又は相当部分を示す。以下同様とする。２１Ａは実施の形態１の無停電電源装置であり、６０１Ａはコンバータ９Ａの直流出力端の正極に設け、正極側の電流を検出する電流センサであり、コンバータ９Ａから流出する方向を正方向としている。６０２Ａはコンバータ９Ａの直流出力端の負極に設け、負極側の電流を検出する電流センサであり、電流センサ６０１Ａと同様にコンバータ９Ａから流出する方向を正方向としている。
６１１Ａは交流電源１からコンバータ９Ａへの入力電流を検出する電流センサである。また、無停電電源装置２１Ｂも無停電電源装置２１Ａと同一構成であり、同一部分には、同一数字に符号Ａに代わって符号Ｂを付記している。
【００１８】
図２は実施の形態１のコンバータ制御ブロック図である。図において、７１Ａは一般的なＰＷＭコンバータの制御回路であり、入力力率が１００％となるようにトランジスタ９１１Ａ〜９１４Ａへオン・オフのゲート指令を出力する。この動作を説明すると、電流指令生成回路７１１Ａは入力力率が１００％となる正弦波の電流指令を生成し、この電流指令と電流センサ６１１Ａの出力信号（検出電流）との偏差が電流制御回路７１２Ａへ入力される。電流制御回路７１２Ａはこの電流偏差の大きさに応じて電流偏差が減少するように周知のＰＷＭ変調回路７１３Ａと７１４ＡへＰＷＭ指令を出力し、ＰＷＭ変調回路７１３Ａと７１４Ａはトランジスタ９１１Ａ〜９１４Ａへゲートのオン・オフ指令を出力する。このようにしてＰＷＭコンバータの制御回路は入力力率を１００％に制御する。
【００１９】
実施の形態１では、ＰＷＭ変調回路７１３Ａと７１４Ａが出力するオン・オフ指令がＡＮＤ回路７２３Ａ〜７２６Ａを介してトランジスタ９１１Ａ〜９１４Ａへ出力されることを特徴としており、以下に説明する。
図２において、７２１Ａと７２２Ａは、それぞれ電流センサ６０１Ａと６０２Ａによって検出された電流の極性を判定する正負判定回路であり、正負判定回路７２１Ａは、電流の極性が正のときＨＩＧＨを出力し、負のときＬＯＷを出力する。正負判定回路７２２Ａは、電流の極性が正のときＬＯＷを出力し負のときＨＩＧＨを出力する。無停電電源装置２１Ｂも無停電電源装置２１Ａと同一構成であり、同一部分には、同一数字に符号Ａに代わって符号Ｂを付記した同様のコンバータ制御回路７１Ｂを有しているものとする。
【００２０】
次に動作について説明する。図１において、トランジスタ９１１Ａオン、トランジスタ９１２Ａオフ、トランジスタ９１１Ｂオフ、トランジスタ９１２Ｂオンの状態では、蓄電池４を電源として、蓄電池４−トランジスタ９１１Ａ−交流リアクトル５１Ａ−交流リアクトル５１Ｂ−トランジスタ９１２Ｂ−蓄電池４の経路で、無停電電源装置２１Ａと２１Ｂとの間に循環する循環電流が流れる。この循環電流は電流センサ６０１Ａによって検出され、図２のＰＷＭコンバータ制御回路図において、この検出電流は正負判定回路７２１Ａによって負と判定されるために、ＡＮＤ回路７２３Ａの入力がＬＯＷとなり、オンしていたトランジスタ９１１Ａへオフ指令が出力される。また、電流センサ６０２Ｂによっても循環電流が検出され、図２のＰＷＭコンバータ制御において符号ＡをＢによみかえると、電流センサ６０２Ｂによって検出された循環電流は、正負判定回路７２２Ｂによって正と判定されるため、ＡＮＤ回路７２４Ｂの入力がＬＯＷとなり、オンしていたトランジスタ９１２Ｂへオフ指令が出力される。これによって、トランジスタ９１１Ａとトランジスタ９１２Ｂを通る循環電流が阻止される。
【００２１】
また図１において、トランジスタ９１１Ａオン、トランジスタ９１２Ａオフ、トランジスタ９１１Ｂオン、トランジスタ９１２Ｂオフの状態では、交流リアクトル５１Ａ，５１Ｂに貯蔵されたエネルギーを電源として、トランジスタ９１１Ａ−交流リアクトル５１Ａ−交流リアクトル５１Ｂ−ダイオード９２１Ｂ−トランジスタ９１１Ａの経路で、無停電電源装置２１Ａと２１Ｂとの間に循環する循環電流が流れる。この循環電流は電流センサ６０１Ａによって検出され、図２のＰＷＭコンバータ制御回路において、この検出電流は正負判定回路７２１Ａによって負と判定されるために、ＡＮＤ回路７２３Ａの入力がＬＯＷとなり、オンしていたトランジスタ９１１Ａへオフ指令が出力される。
以上のように、循環電流を検出してＰＷＭコンバータ制御回路がその循環電流を阻止するようにトランジスタへオン・オフ指令を出力するように構成したので、大型の整流素子やその冷却用部品が不要となり、無停電電源システムを小型化かつ低コスト化できる。
【００２２】
実施の形態２．
実施の形態１では、直流出力端の電流の方向で循環電流を検出して、その循環電流を阻止するようにコンバータのトランジスタをオン・オフさせる場合について述べたが、インバータの負荷に電力を回生する機器が接続された場合、この回生電流を循環電流と判断してしまうため、負荷が回生したときに無停電電源システムが運転を継続できない問題がある。
【００２３】
実施の形態２では上記問題を解決する方法を説明する。実施の形態１にて説明した図１において、循環電流が流れていない場合は、ＰＷＭコンバータ９Ａが出力した直流電流は電流センサ６０１Ａを通過し、インバータ１０Ａまたは蓄電池４へ供給された後、すべて電流センサ６０２Ａを通ってＰＷＭコンバータ９Ａに戻ってくるため、電流センサ６０１Ａと６０２Ａの検出電流の和は零となる。もし、インバータに回生する負荷が接続されていても同様に検出電流の和は零である。すなわち、循環電流が流れている場合、無停電電源装置２１Ａと２１Ｂとの間に循環する電流成分のため、電流センサ６０１Ａと６０２Ａの検出電流の和が零でなくなる。
【００２４】
図３は、実施の形態２のＰＷＭコンバータ制御ブロック図である。電流センサ６０１Ａと６０２Ａによって検出された電流の和を求め、これを循環電流とする。この循環電流は無停電電源装置２Ａの交流入力電流の零相電流成分であり、７３１Ａはこの零相電流が流出したことを検知したときにＬＯＷを出力する零相電流流出検知回路である。すなわち、検出電流の和から求めた循環電流が負となった場合にＬＯＷを出力し、ＡＮＤ回路７２３Ａ、７２５Ａの入力がＬＯＷとなり、トランジスタ９１１Ａ、９１３Ａへオフ指令が出力される。これにより、図１においてＰＷＭコンバータ９Ａの交流側へ流出する零相電流はダイオード９２１Ａおよび９２３Ａで阻止される。
【００２５】
また、図３において、７３２Ａは零相電流が流入したことを検知したときにＬＯＷを出力する零相電流流入検知回路であり、検出電流の和から求めた、無停電電源装置２１Ａと２１Ｂとの間に循環する循環電流が正となった場合にＬＯＷを出力するので、ＡＮＤ回路７２４Ａ、７２６Ａの入力がＬＯＷとなり、トランジスタ９１２Ａ、９１４Ａへオフ指令が出力される。これにより、図１においてＰＷＭコンバータ９Ａの交流側から流入する零相電流はダイオード９２２Ａおよび９２４Ａで阻止される。
【００２６】
なお、零相電流流出検知回路７３１Ａおよび零相電流流入検知回路７３２Ａが零相電流を検知する判定は正負の符号として説明したが、無停電電源装置が許容できる零相電流（例えば定格電流の１〜３％程度）を判定値として用いてもよい。
上記のような構成により、大型の整流素子やその冷却用部品が不要で、無停電電源システムを小型化で低コスト化でき、かつ循環電流を阻止しながら、負荷が回生しても運転を継続することができる。
【００２７】
実施の形態３．
実施の形態２では、零相電流流出検知回路７３１Ａおよび零相電流流入検知回路７３２Ａにより、トランジスタをオフさせて循環電流を阻止する場合について述べたが、実施の形態３では、循環電流を抑制制御する方式について述べる。
図４は実施の形態３のコンバータ制御ブロック図である。図に示すように新たに循環電流制御増幅器７４Ａを設けて、この循環電流制御増幅器７４Ａの出力と電流制御回路７１２Ａとの和をＰＷＭ変調回路７１３Ａおよび７１４Ａへ入力している。循環電流制御増幅器７４Ａには、実施の形態２で述べた電流センサ６０１Ａと６０２Ａの検出電流の和から求めた循環電流が入力され、循環電流制御増幅器７４Ａは入力された循環電流に応じてＰＷＭ変調回路７１３Ａと７１４Ａへ、循環電流が減少するように信号を出力する。
【００２８】
例えば循環電流が正であれば零相電流が流入しているので、循環電流制御増幅器７４Ａはトランジスタ９１１Ａと９１３Ａのオン時間が長くなり、トランジスタ９１２Ａと９１４Ａのオン時間が短くなるようにＰＷＭ変調回路７１３Ａと７１４Ａへ指令を出力する。これにより、交流リアクトル５１Ａと５２Ａに流れる電流は、コンバータ９Ａから交流電源１の方向へ増加し、流入する零相電流は減少する。
一方、循環電流が負であれば零相電流が流入しているので、循環電流制御増幅器７４Ａはトランジスタ９１１Ａと９１３Ａのオン時間が短くなり、トランジスタ９１２Ａと９１４Ａのオン時間が長くなるようにＰＷＭ変調回路７１３Ａと７１４Ａへ指令を出力し、流出する零相電流を減少させる。
上記のような構成により、大型の整流素子やその冷却用部品が不要で、かつ循環電流を阻止しながら、負荷が回生しても運転を継続することができる。
【００２９】
実施の形態４．
実施の形態３では、直流出力端に電流センサ６０１Ａおよび６０２Ａ，６０１Ｂおよび６０２Ｂを設けて、循環電流を抑制制御する場合について述べた。図５は実施の形態４の無停電電源システムを示す回路図である。図５に示すように、直流出力端には電流センサを設けず、実施の形態４の無停電電源装置２２ＡにはＰＷＭコンバータ９Ａの交流入力部に新たに電流センサ６１２Ａを設け、無停電電源装置２２ＢにはＰＷＭコンバータ９Ｂの交流入力部に電流センサ６１２Ｂを設けた場合について説明する。
【００３０】
図６は実施の形態４のＰＷＭコンバータ制御ブロック図である。電流センサ６１１Ａの出力はＰＷＭコンバータ制御に使用されると同時に、循環電流を求めることにも使用される。電流センサ６１１Ａと電流センサ６１２Ａとの和は無停電電源装置２Ａの交流入力電流の零相電流成分であり、すなわち無停電電源装置２２Ａと２２Ｂとの間に循環する循環電流である。これにより求められた循環電流を循環電流制御増幅器７４Ａへ入力することで実施の形態３と同様の循環電流抑制制御を行うことができる。なお、電流センサ６１１Ａ，６１２Ａは、図５の配置に代えて、それぞれ交流リアクトル５１Ａ，５２Ａと交流電源１の間に配置しても良い。電流センサ６１１Ｂ，６１２Ｂについても同様にその配置を代えても良い。
【００３１】
上記のような構成により、大型の整流素子やその冷却用部品が不要で、無停電電源システムを小型化で低コスト化でき、かつ循環電流を阻止しながら、負荷が回生しても運転を継続することができる。
【図面の簡単な説明】
【００３２】
【図１】この発明の実施の形態１の無停電電源システムを示す回路図である。
【図２】実施の形態１のコンバータ制御ブロック図である。
【図３】実施の形態２のコンバータ制御ブロック図である。
【図４】実施の形態３のコンバータ制御ブロック図である。
【図５】実施の形態４の無停電電源システムを示す回路図である。
【図６】実施の形態４のコンバータ制御ブロック図である。
【図７】交流電源と蓄電池を共用する従来の無停電電源システムの回路図である。
【符号の説明】
【００３３】
１  交流電源
２Ａ，２Ｂ，２１Ａ，２１Ｂ，２２Ａ，２２Ｂ  無停電電源装置
４  蓄電池
８Ａ，８Ｂ  平滑コンデンサ
９Ａ，９Ｂ  コンバータ
１０Ａ，１０Ｂ  インバータ
１１Ａ，１２Ａ，１１Ｂ，１２Ｂ  整流素子
５１Ａ，５２Ａ，５１Ｂ，５２Ｂ  交流リアクトル
７１Ａ，７１Ｂ  コンバータの制御回路
７４Ａ  循環電流制御増幅器
６０１Ａ，６０２Ａ，６０１Ｂ，６０２Ｂ  電流センサ
６１１Ａ，６１１Ｂ  電流センサ
６１２Ａ，６１２Ｂ  電流センサ
７１１Ａ  電流指令生成回路
７１２Ａ  電流制御回路
７１３Ａ，７１４Ａ  ＰＷＭ変調回路
７２１Ａ，７２２Ａ，７２２Ｂ  正負判定回路
７２３Ａ〜７２６Ａ，７２４Ｂ  ＡＮＤ回路
７３１Ａ  零相電流流出検知回路
７３２Ａ  零相電流流入検知回路
９１１Ａ〜９１４Ａ，９１１Ｂ〜９１４Ｂ  トランジスタ
９２１Ａ〜９２４Ａ，９２１Ｂ〜９２４Ｂ  ダイオード。
【図１】
2005354764.tif 000003
【図２】
2005354764.tif 000004
【図３】
2005354764.tif 000005
【図４】
2005354764.tif 000006
【図５】
2005354764.tif 000007
【図６】
2005354764.tif 000008
【図７】
2005354764.tif 000009